(57)【要約】      （修正有）【課題】特殊な機能をもつ座金を上部材に固定した後、ナット及びボルトを締め込むことにより、その底面を座金により回転不能に緩み止めを行う。【解決手段】ナット又はボルトを締め込むときのナット又はボルト頭部の下面に介在させる座金の構造において、金属線の網目の間隔を狭くして、密に格子状に編みこんだ金網の網目にゴム等の素材を充満させ、金網の表面を僅かに覆うように平面に形成し加熱成型して金網を内蔵したゴム板を製造し、ドーナツ状に打抜加工して金網の骨組をもつ金網合成座金を作成する、そして金網合成座金の底面のゴムの表面に接着剤を塗布し、上部材のボルト孔に合わせてその上に載せ、ナット又はボルトを締め込んで金網合成座金を接着固定する。締め込みが終わると金網の網目隙間内の押圧されていたゴムは反発して押上げられ、ナット又はボルト頭の下面に設けられた放射状溝に食い込むことにより、ナット又はボルトの戻り回転を阻止する。【選択図】図２
2018169039.tif 000002
【特許請求の範囲】
【請求項１】
ナット又はボルトを締め込むとき、そのナット又はボルト頭部の下面に介在させる座金の構造において、金属線（８）の網目の間隔を狭くして、密に格子状に編みこんだ金網（７）の網目隙間にゴム（９）等の素材を充満させて、金網の表面を僅かに覆うように平面に形成し、これを加熱成型して金網を内蔵したゴム板を製造し、これをドーナツ状に打抜加工して金網の骨組をもつ金網合成座金（５）を作成する、そしてこの金網合成座金の底面のゴムの表面に接着剤を塗布又は離形シートに塗布された接着剤をその底面に移し替えた後、上部材（１４）のボルト孔（１５）に合わせて、その上に載せ、この上よりナット又はボルトを締め込むことにより金網合成座金（５）をこの表面に接着固定する、このときナット又はボルトの締め込みによる押圧力は金網合成座金に内蔵した金網（７）の網目の多数の交替点の金属線（８）により支持される、そしてナット又はボルトを締め込み停止すると、金網の網目隙間内の押圧されていたゴム（９）は反発して押上げられ、ナット又はボルト頭の下面に設けられた多数本の放射状溝（４）に食い込むことにより、ナット又はボルトの戻り回転を阻止しうるようにした金網合成座金の緩み止めの構造。
【発明の詳細な説明】
【技術分野】
【０００１】  特殊な機能を持つ座金によりナット及びボルトの緩み止めを行う方法である。
【背景技術】
【０００２】  ナット及びボルトの緩み止めの方法として座金を用いるとき、この座金を上部材に固定し、この座金の外歯を折り曲げてナット及びボルトの回転を阻止する構造は複雑である、又この座金を上部材に固定するため別工程で錐孔等の加工を必要とし、煩雑なため一般的には使用されていない。
【発明の開示】
【発明が解決しようとする課題】
【０００３】  本発明は特殊な機能をもつ座金を上部材に固定した後、ナット及びボルトを締め込むことにより、その底面を座金により回転不能に緩み止めを行うものである。
【課題を解決するための手段】
【０００４】  ナット又はボルトを締め込むとき、そのナット又はボルト頭部の下面に介在させる座金の構造において、金属線８の網目の間隔を狭くして、密に格子状に編みこんだ金網７の網目隙間にゴム９等の素材を充満させて、金網の表面を僅かに覆うように平面に形成し、これを加熱成型して金網を内蔵したゴム板を製造し、これをドーナツ状に打抜加工して金網の骨組をもつ金網合成座金５を作成する。【０００５】  金網合成座金の底面のゴムの表面に接着剤を塗布又は離形シートに塗布された接着剤をその底面に移し替えた後、上部材１４のボルト孔１５に合わせて、その上に載せ、この上よりナット又はボルトを締め込むことにより金網合成座金５をこの表面に接着固定する。【０００６】  このときナット又はボルトの締め込みによる押圧力は、金網合成座金に内蔵した金網７の網目の多数の交替点の金属線８により支持される、そしてナット又はボルトを締め込み停止すると、金網の網目隙間内の押圧されていたゴム９は反発して押上げられ、ナット又はボルト頭の下面に設けられた多数本の放射状溝４に食い込むことにより、ナット又はボルトの戻り回転を阻止する。
【発明の効果】
【０００７】  本発明の実施により比較的小径のナット及びボルトは非常に簡便に戻り回転を阻止することが可能になる、制作費も低く広範囲に使用可能である。
【図面の簡単な説明】
【０００８】
【図１】本発明の実施形態の一例として、ナットにより締め込まれた状態の金網合成座金の縦断面図
【図２】図１に組込まれている金網合成座金の断面拡大図
【図３】図２の平面拡大図
【図４】本発明の実施形態の一例として、密閉包装された状態の金網合成座金の縦断面図
【発明を実施するための形態】
【０００９】  ナット又はボルトを締め込むとき、そのナット又はボルト頭部の下面に介在させる座金の構造において、金属線８の網目の間隔を狭くして、密に格子状に編みこんだ金網７の網目隙間にゴム９等の素材を充満させて、金網の表面を僅かに覆うように平面に形成し、これを加熱成型して金網を内蔵したゴム板を製造し、これをドーナツ状に打抜加工して金網の骨組をもつ金網合成座金５を作成する、
【００１０】  この座金の底面のゴムの表面に接着剤を塗布又は離脱シートに塗布された接着剤をその底面に移し替えた後、上部材１４のボルト孔１５に合わせて、その上に載せ、この上よりナット又はボルトを締め込むことにより金網合成座金５をこの表面に接着固定する、その底面のゴムは柔軟性があるため、上部材１４の金属表面に密接しその接着力は大きい、又予め金網合成座金の底面に接着剤を塗布し、この上より離形シートで覆った後、図４のように、この座金をフィルム又はアルミ箔で密封して保存し、使用時にこれを破って金網合成座金を取出し、その底面の離形シートを除去した後、上部材１４のボルト孔１５に合わせて、その上に載せ、この上よりナット又はボルトを締め込むことにより金網合成座金５をこの表面に接着固定する。
【００１１】  金網合成座金の上よりナット又はボルトを締め込んだとき、その押圧力は金網合成座金に内蔵した金網７の網目の多数の交替点の金属線８により支持される、これは金属線の円筒が十字に直交して積み上げられた状態になっており、加圧により、その線間の隙間がなくなり更に加圧されると、その接点が僅かに食い込まれて重なった線同志の高さが減少する、従って金網の網目隙間内の押圧されていたゴム９は反発して押上げられ、ナット又はボルト頭の下面に設けられた多数本の放射状溝４に食い込むことにより、ナット又はボルトの戻り回転を阻止することができる。
【符号の説明】
【００１２】  １・・・ボルト                        ２・・・ナット
３・・・ナットの底面                  ４・・・ナット底面の放射状溝
５・・・金網合成座金                  ６・・・金網合成座金の底面
７・・・金網合成座金内の金網          ８・・・金網の金属線
９・・・金網の網目隙間のゴム        １０・・・金網の網目の交差点
１１・・・接着剤                      １２・・・接着剤塗布離形紙
１３・・・金網合成座金の密閉包装      １４・・・上部材
１５・・・上部材のボルト孔            １６・・・下部材
【図１】
2018169039.tif 000003
【図２】
2018169039.tif 000004
【図３】
2018169039.tif 000005
【図４】
2018169039.tif 000006